(57)【要約】【課題】照明器具の取り付け位置を容易に把握できる照明用バトン及び照明システムを提供する。【解決手段】照明用バトン３は、所定の通信プロトコルで外部装置と通信するための通信部２１と、識別情報と器具情報を有すると共に問い合わせ信号を受信すると応答信号を出力する照明器具６が複数接続される複数のコネクタ１３と、複数の中継部１２と、それぞれが複数のコネクタ１３のそれぞれに対応して設けられた複数の信号方向検出部２７と、位置検出部２４とを有する。位置検出部２４は、操作卓２からの照明器具への所定の問い合わせ信号に対する応答信号が複数の中継部１２のいずれかに出力されたときに、信号方向検出部２７から出力された所定の検出信号ｄに基づいて、識別情報を有する照明器具６の設置位置情報Bを生成して出力する。を有する【選択図】図２
2014120351.tif 000002
【特許請求の範囲】
【請求項１】
所定の通信プロトコルで外部装置と通信するための通信部と、
識別情報と器具情報を有すると共に所定の問い合わせ信号を受信すると応答信号を出力する照明器具が複数接続される複数の接続部と、
それぞれが前記複数の接続部のそれぞれに対応して接続された複数の信号中継部と、
それぞれが前記複数の接続部のそれぞれに対応して設けられ、前記接続部から前記信号中継部へ向かう方向の信号を検出すると所定の検出信号を出力する複数の信号方向検出部と、
前記外部装置からの前記識別情報を有する照明器具への前記所定の問い合わせ信号に対する前記応答信号が前記複数の信号中継部のいずれかに出力されたときに、前記信号方向検出部から出力された前記所定の検出信号に基づいて、前記識別情報を有する照明器具の設置位置情報を生成して出力する設置位置情報出力部と、
を有する照明用バトン。
【請求項２】
前記設置位置情報出力部が出力した前記設置位置情報を、前記応答信号と共に前記通信部を介して前記外部装置へ送信するように制御する制御部をさらに有する請求項１に記載の照明用バトン。
【請求項３】
制御装置と、前記制御装置と通信ラインを介して所定のプロトコルで通信する複数の照明用バトン、各照明バトンに設けられた複数の照明器具とからなる照明システムであって、
前記複数の照明用バトンのそれぞれは、
前記所定の通信プロトコルで前記制御装置と通信するための通信部と、
識別情報と器具情報を有すると共に所定の問い合わせ信号を受信すると応答信号を出力する照明器具が複数接続される複数の接続部と、
それぞれが前記複数の接続部のそれぞれに対応して接続された複数の信号中継部と、
それぞれが前記複数の接続部のそれぞれに対応して設けられ、前記接続部から前記信号中継部へ向かう方向の信号を検出すると所定の検出信号を出力する複数の信号方向検出部と、
前記制御装置からの前記識別情報を有する照明器具への前記所定の問い合わせ信号に対する前記応答信号が前記複数の信号中継部のいずれかに出力されたときに、前記信号方向検出部から出力された前記所定の検出信号に基づいて、前記識別情報を有する照明器具の設置位置情報を生成して出力する設置位置情報出力部と、
前記設置位置情報出力部が出力した前記設置位置情報を、前記応答信号と共に前記通信部を介して前記制御装置へ送信するように制御する制御部と、
を有する照明システム。
【発明の詳細な説明】
【技術分野】
【０００１】
本発明の実施形態は、照明用バトン及び照明システムに関する。
【背景技術】
【０００２】
従来より、劇場、舞台、スタジオなどの照明システムにおいて、複数の照明器具を設置する照明用バトンが用いられている。例えば、照明用バトンは、スポットライトなどの照明器具が複数接続され、天井などから吊されて用いられる。各バトンの各照明器具は、シーンなどに応じて、調光制御される。
【０００３】
舞台などでは、演目やイベント等に応じて、用いられる照明器具やその設置位置が異なることは、通例である。そのため、照明器具を制御する照明システムは、演目などの変更の度に、照明器具の設置変更が行われる。  
一方、調光を制御する調光卓では、その設置変更の度に、各照明器具と調光用フェーダなどの操作器との対応付けが行われる。
【０００４】
各照明器具が直接接続され各照明器具に電源を供給する調光制御盤を介して、調光卓と複数の照明用バトンが接続される構成の場合、調光卓における各照明器具と各操作器との対応関係は、比較的容易に把握でき、その対応付けも容易に設定できる。
【０００５】
ところが、通信ラインを介して調光卓と複数の照明用バトンが接続され、調光信号が通信ラインを介して送信される構成の場合、各照明器具の種類と各照明用バトンにおける各照明器具の設置位置の把握は簡単にはできず、操作卓における各照明器具と各操作器との対応付けの設定が容易にできないという問題がある。
【０００６】
各照明器具の種類と設置位置の把握をするために、RFIDタグなどの情報チップを利用して、バトンに接続される照明器具を認識させるようにして、照明器具の設置変更の状態を容易に把握できるシステムが提案されている。その場合、全ての照明器具に情報チップが付設され、全てのバトンには、情報チップ読取装置が取り付けられる。
【０００７】
しかし、そのようなシステムの場合、全ての照明器具にそのような情報チップを付設することに加えて、全ての情報チップへ必要な情報の書き込みを行う作業も発生するため、準備作業に多くの手間が掛かるという問題がある。
【先行技術文献】
【特許文献】
【０００８】
【特許文献１】特開２００７−６６５８５号公報
【発明の概要】
【発明が解決しようとする課題】
【０００９】
そこで、本実施形態は、照明器具の取り付け位置を容易に把握できる照明用バトン及び照明システムを提供することを目的とする。
【課題を解決するための手段】
【００１０】
実施形態の照明用バトンは、所定の通信プロトコルで外部装置と通信するための通信部と、識別情報と器具情報を有すると共に問い合わせ信号を受信すると応答信号を出力する照明器具が複数接続される複数の接続部と、それぞれが前記複数の接続部のそれぞれに対応して接続された複数の信号中継部と、それぞれが前記複数の接続部のそれぞれに対応して設けられ、前記接続部から前記信号中継部へ向かう方向の信号を検出すると所定の検出信号を出力する複数の信号方向検出部と、前記外部装置からの前記識別情報を有する照明器具への前記所定の問い合わせ信号に対する前記応答信号が前記複数の信号中継部のいずれかに出力されたときに、前記信号方向検出部から出力された前記所定の検出信号に基づいて、前記識別情報を有する照明器具の設置位置情報を生成して出力する設置位置情報出力部と、を有する。
【発明の効果】
【００１１】
実施形態によれば、照明器具の取り付け位置を容易に把握できる照明用バトン及び照明システムを提供することができる。
【図面の簡単な説明】
【００１２】
【図１】実施形態に係わる照明システムの構成図である。
【図２】実施形態に係わるバトン３の構成を示すブロック図である。
【図３】実施形態に係わる信号方向検出部２７の回路図である。
【図４】実施形態に係わる、バトン３におけるUIDの取得処理の流れの例を示すフローチャートである。
【図５】実施形態に係わる、操作卓２における、各照明器具６の設置位置情報を取得する処理の流れの例を示すフローチャートである。
【図６】実施形態に係わる、各ノード１１における、機器情報などの送信要求コマンドを受信したときの処理の流れの例を示すフローチャートである。
【図７】実施形態に係わる、操作卓２の記憶部２ｂに記憶される照明器具情報テーブルTBLの例を示す図である。
【図８】実施形態に係わる、操作卓２の表示部２ｄの画面上に表示される舞台上の照明器具配置を示す画面の例を示す図である。
【発明を実施するための形態】
【００１３】
本実施形態の照明用バトンは、所定の通信プロトコルで外部装置と通信するための通信部と、識別情報と器具情報を有すると共に問い合わせ信号を受信すると応答信号を出力する照明器具が複数接続される複数の接続部と、それぞれが前記複数の接続部のそれぞれに対応して接続された複数の信号中継部と、それぞれが前記複数の接続部のそれぞれに対応して設けられ、前記接続部から前記信号中継部へ向かう方向の信号を検出すると所定の検出信号を出力する複数の信号方向検出部と、前記外部装置からの前記識別情報を有する照明器具への前記所定の問い合わせ信号に対する前記応答信号が前記複数の信号中継部のいずれかに出力されたときに、前記信号方向検出部から出力された前記所定の検出信号に基づいて、前記識別情報を有する照明器具の設置位置情報を生成して出力する設置位置情報出力部と、を有する。
【００１４】
以下、図面を参照して実施形態を説明する。
【００１５】
（構成）
図１は、本実施形態に係わる照明システムの構成図である。照明システム１は、操作卓２と、複数の照明用バトン３を含み、操作卓２と複数の照明用バトン３は、ハブ４を介して通信ライン５により接続されている。各照明用バトン３は、複数の照明器具６が取り付け可能となっている。照明器具６は、ここでは発光ダイオード（LED）を利用した照明器具である。もちろん、照明器具６は、他の光源を利用した照明器具であってもよい。
【００１６】
操作卓２と各照明用バトン（以下、単にバトンという）３とは、通信ライン５を介して例えばイーサネット（登録商標）の通信プロトコルで互いに通信可能となっている。そのため、操作卓２は、各バトン３のアドレス情報を有している。通信ライン５は、操作卓２と各バトン３間のデータ通信のためのラインである。なお、各バトン３の各照明器具６への電源の供給は、図示しない電源線により供給されている。
【００１７】
操作卓２は、中央処理装置（以下、CPUという）を含む制御部２ａと、各種データを記憶する記憶部２ｂと、各種設定及び調光操作を入力するための入力部２ｃ、モニタである表示部２ｄを有している。操作卓２は、各照明器具６の調光を行うために、入力部２ｃの一部としてフェーダなどの調光操作器を有し、操作者は、任意の照明器具６の調光を手動で制御することができる。さらに、操作卓２は、予めプログラムされた順序で、シーンに応じて自動で各照明器具６へ調光信号を送信することもできる。
【００１８】
ここでは、説明を簡単にするために、各バトン３は、４つの照明器具が所定の位置に取り付け可能に構成されているものとする。  
複数のバトン３が舞台などに設置され、調整室などに操作卓２が設置され、照明システム１は、舞台照明制御が可能に構成されている。
【００１９】
次に、バトン３の構成について説明する。図２は、バトン３の構成を示すブロック図である。  
バトン３は、複数の照明器具６を接続して設置する照明器具設置装置である。従って、バトン３の概念は、広く、形状、寸法等は、従来のバトンに捉われるものではない。  
バトン３は、ノード１１と、複数（ここでは４つ）の中継部１２ａ、１２ｂ、１２ｃ、１２ｄ（以下、中継部１２ａ、１２ｂ、１２ｃ、１２ｄの全てあるいは１つを指すときには、中継部１２という）と、複数（ここでは４つ）の照明器具６ａ、６ｂ、６ｃ、６ｄ（以下、照明器具６ａ、６ｂ、６ｃ、６ｄの全てあるいは１つを指すときには、照明器具６という）が接続可能なコネクタ１３ａ、１３ｂ、１３ｃ、１３ｄ（以下、コネクタ１３ａ、１３ｂ、１３ｃ、１３ｄの全てあるいは１つを指すときには、コネクタ１３という）を有している。各バトン３における各コネクタ１３の接続位置すなわち設置位置は予め決められている。各コネクタ１３は、照明器具６が接続される接続部を構成する。
【００２０】
ノード１１は、制御部２０、通信部２１、信号変換部２２、送受信部２３、位置検出部２４及びメモリ２５を含んで構成されている。ノード１１のこれらの制御部２０等の各部は、CPUを含む半導体チップにより実現される。
【００２１】
制御部２０は、CPUを含み、ノード１１の全体の制御と、後述するような各照明器具６の識別情報を取得する機能を実行する処理部である。  
通信部１１は、通信ネットワークを構成する通信ライン５を介して、外部装置である操作卓２と通信を行うために、イーサネット（登録商標）プロトコルによる通信処理を実行する処理部である。すなわち、通信部１１は、所定の通信プロトコルで外部装置と通信するための通信部である。
【００２２】
信号変換部２２は、イーサネット（登録商標）プロトコルと、RDM（Remote Device Management）プロトコルの変換を行う処理部である。RDMプロトコルは、DMX512-Aプロトコル（以下、DMXプロトコルという）を用いた双方向通信可能なプロトコルである。信号変換部２２は、送受信部２３から信号を受信すると、RDMプロトコルからイーサネット（登録商標）プロトコルに変換して通信部２１に出力し、通信部２１から信号を受信すると、イーサネット（登録商標）プロトコルからRDMプロトコルに変換して送受信部２３に出力するプロトコル変換部である。
【００２３】
送受信部２３は、RDMプロトコルの通信を行う送受信部である。送受信部２３は、信号変換部２２からの信号は、中継部１２へ送信し、中継部１２からの信号は、信号変換部２２へ送信する。さらに、送受信部２３は、信号変換部２２からの信号に含まれる送信先情報Sを、位置検出部２４へ出力する。送信先情報Sは、UID（Unique ID）の情報を含む。UIDは、照明器具６毎に設定された固有の識別情報である。
【００２４】
位置検出部２４は、送受信部２３からの送信先情報Sと、中継部１２ａ、１２ｂ、１２ｃ、１２ｄからの位置検出信号ｄ１、ｄ２、ｄ３、ｄ４とを受信して、各照明器具６の設置位置情報Bを生成して出力する処理部である。
【００２５】
各位置検出信号ｄ１、ｄ２、ｄ３、ｄ４（以下、位置検出信号ｄ１、ｄ２、ｄ３、ｄ４の全てあるいは１つを指すときには、位置検出信号ｄという）は、位置検出部２４の４つの入力端のそれぞれが対応する入力端に入力される。よって、位置検出部２４は、どの入力端に位置検出信号ｄが入力されたかに基づいて、位置検出信号ｄがどの中継部１２から出力されたかを検出することができる。
【００２６】
メモリ２５は、バトン３に接続された各照明器具６の固有の識別情報としてのUID、設置位置情報Ｂを記憶する記憶部である。
【００２７】
ノード１１には、複数の中継部１２がいわゆるデイジーチェーン形式で接続されている。ここでは、ノード１１は中継部１２ａに接続され、中継部１２ａは下流の中継部１２ｂにさらに接続されている。中継部１２ｂは下流の中継部１２ｃに接続され、中継部１２ｃは下流の中継部１２ｄにさらに接続されている。  
各中継部１２は、データ伝送部２６と信号方向検出部２７とを含んで構成されている信号中継部である。すなわち、各バトン３は、それぞれが複数のコネクタ１３のそれぞれに対応して接続された複数の中継部を有している。
【００２８】
各データ伝送部２６は、上流側からの信号を、下流側の中継部１２と照明器具６の両方へ出力すると共に、下流側の中継部１２と照明器具６とからの信号を、上流側のノード１１あるいは中継部１２へ出力する双方向リピータである。例えば、中継部１２ａのデータ伝送部２６は、ノード１１からの信号を、中継部１２ｂと照明器具６ａとへ出力すると共に、下流側の中継部１２ｂからの信号及び照明器具６ａとからの信号を、上流側のノード１１へ出力する。
【００２９】
信号方向検出部２７は、自己の中継部１２に接続されている照明器具６から信号を受信すると、所定の位置検出信号ｄを出力する処理部である。データ伝送部２６と信号方向検出部２７との間は、信号線２６aを介してデータ通信が行われ、信号方向検出部２７と照明器具６との間は、信号線２７aを介してデータ通信が行われる。信号方向検出部２７は、照明器具６からの信号の受信の有無を検出し、照明器具６からの信号を受信すると所定の信号としての位置検出信号ｄを出力する。
【００３０】
図３は、信号方向検出部２７の回路図である。図３に示すように、信号方向検出部２７は、２つのバッファ回路３１，３２と、比較部３３とを含む。バッファ回路３１と３２は、データ伝送部２６と照明器具６との間で、互いに逆方向に出力するように並列に接続されている。バッファ回路３１は、データ伝送部２６からの信号が入力されて照明器具６へ出力する回路であり、バッファ回路３２は、照明器具６からの信号が入力されてデータ電送部２６へ出力する回路である。
【００３１】
比較部３３は、バッファ回路３１と３２の並列回路の両端の電圧を入力し、両端における波形の立ち下がり（あるいは立ち上がり）の時間差を検出し、その時間差に基づいて、照明器具６からの信号が発生すると、位置検出信号ｄを出力する。また、比較部３３は、信号の方向に応じてバッファ回路３１，３２のオン・オフを制御して、例えばバッファ回路３１を通過した信号がバッファ回路３２を通過しないようにしている。
【００３２】
データ伝送部２６と照明器具６との間では、データは、半二重で通信される。ここでは、データ伝送部２６からの信号は、バッファ回路３１に入力され、所定の時間遅れを持って照明器具６へ出力される。同様に、照明器具６からの信号は、バッファ回路３２に入力され、所定の時間遅れを持ってデータ伝送部２６へ出力される。
【００３３】
比較部３３は、バッファ回路３１と３２の並列回路の両端の信号波形の立ち下がり（あるいは立ち上がり）の差を検出することによって、照明器具６から出力された信号の有りを示す位置検出信号ｄを出力する。
【００３４】
従って、信号方向検出部２７は、各コネクタ１３に対応して設けられ、コネクタ１３から信号中継部である中継部１２へ向かう方向の信号を検出すると所定の検出信号ｄを出力する。すなわち、各バトン３は、それぞれが複数のコネクタ１３のそれぞれに対応して設けられ、コネクタ１３から中継部１２へ向かう方向の信号を検出すると所定の位置検出信号ｄを出力する複数の信号方向検出部２７を有している。なお、図２及び図３では、データ伝送部２６と信号方向検出部２７とを別体として示しているが、一体化してもよい。すなわち、上述のようにデータ伝送部２６も上流及び下流への信号の方向を検出しているので、信号方向検出機能部を兼用するように構成してもよい。
【００３５】
図２に戻り、各照明器具６は、不揮発性のメモリ７を有し、メモリ７は、照明器具６の各種仕様情報を記憶する記憶部７ａと、照明器具６の固有の識別情報であるUIDを記憶する記憶部７ｂを含んでいる。各種仕様情報は、種類、出力ワット数などの器具情報に加えて、DMXアドレスなども含む。
【００３６】
また、各照明器具６は、調光信号等の制御信号を受信して、制御信号に応じて、点・消灯、調光・調色、姿勢制御等を行うと共に、信号線２７ａを介して受信した各種コマンドに応じた情報を含む応答信号を出力する。すなわち、各照明器具６は、識別情報であるUIDと器具情報とDMXアドレスを有すると共に問い合わせ信号を受信すると応答信号を出力する照明器具である。
【００３７】
（動作）
次に、図４から図６を用いて、操作卓２が各バトン３から照明器具６の器具情報、設置位置情報などを自動で取得する方法について説明する。
【００３８】
図４は、バトン３におけるUIDの取得処理の流れの例を示すフローチャートである。  
図４に示すように、まず、各バトン３において電源がオンされると、ノード１１の制御部２０は、下流の各中継部１２に接続された照明器具６の識別情報（以下、UIDという）を取得する（S1）。S1の処理が、複数のコネクタ１３に接続された複数の照明器具６の識別情報であるUIDを取得する識別情報取得部を構成する。
【００３９】
UIDは、複数ビット（例えば４８ビット）からなる、照明器具６に固有の識別情報であり、上述したように記憶部７ｂに記憶されている。制御部２０は、例えば公知の二進木法により、各中継部１２に接続された照明器具６のUIDを取得する。
【００４０】
具体的には、制御部２０は、所定の初期値の４８ビットのUIDを有する照明器具６があるかを問い合わせる信号を、下流の中継部１２に送信する。制御部２０は、送信したUIDに対する照明器具６からの返信の有無に基づいて、４８ビットの最上位ビットから順番にビットの値を変更した問い合わせ信号の送信を繰り返すことによって、各中継部３に接続された照明器具６のUIDを取得することができる。
【００４１】
この処理を繰り返すことにより、制御部２０は、４つのコネクタ１３に接続されている４つの照明器具６のUIDを特定して取得することができ、ノード１１の制御部２０は、取得したUIDの情報を、メモリ２５に記憶する（S2）。従って、メモリ２５は、取得された複数の照明器具６の識別情報であるUIDを記憶する記憶部を構成する。  
全バトン３が、図４に示す処理を実行することにより、各バトン３は、自己に接続されている複数（ここでは４つ）の照明器具６のUIDの情報をメモリ２５に記憶する。
【００４２】
次に、操作卓２で、操作者が所定の操作を行うと、図５の処理が実行される。  
図５は、操作卓２における、各照明器具６の設置位置情報を取得する処理の流れの例を示すフローチャートである。各バトン３と操作卓２との通信は、上述したように、イーサネット（登録商標）プロトコルに従って、行われる。
【００４３】
まず、操作卓２の制御部２ａは、すべてのバトン３から、メモリ２５に記憶された照明器具６のUIDの情報を取得する（S11）。操作卓２は各バトン３（すなわちノード１１）のアドレス情報を有しているので、制御部２ａは、複数のバトン３に順番に、UIDの情報の送信要求を送ることによって、全バトン３からUIDの情報を受信して取得することができる。各バトン３には、予めバトン番号が付けられており、バトン３のアドレスとバトン番号の対応も予め決まっているので、制御部２ａは、バトン番号とUIDを関連付けて、記憶することができる。
【００４４】
制御部２ａは、全てのノードからUIDの情報を取得すると、取得したUIDの情報に基づき、各UIDに対して、機器情報、DMXアドレス、設置位置情報の送信要求コマンドを送信する（S12）。
【００４５】
制御部２ａは、UID毎に、そのUIDを有する照明器具６が接続されたバトン３に、機器情報などの送信要求コマンドを送信する。操作卓２は、各バトン３のノード１１のアドレス情報を有しているので、そのアドレス情報に基づいて、UIDに対応するバトン３に送信要求コマンドを送信することができる。
【００４６】
図６は、各ノード１１における、機器情報などの送信要求コマンドを受信したときの処理の流れの例を示すフローチャートである。  
操作卓２から送信された送信要求コマンドは、ノード１１の通信部２１により受信処理が実行される（S21）。受信された送信要求コマンドは、信号変換部２２においてイーサネット（登録商標）プロトコルからRDMプロトコルに変換され、送受信部２３で受信されて、各中継部１２へ送信される。同時に、送受信部２３は、受信した送信要求コマンドに含まれるUID情報を含む送信先情報Sを位置検出部２４へ出力する。
【００４７】
各中継部１２では、データ伝送部２６が受信したコマンドを、信号方向検出部２７を介して照明器具６へ送信すると共に、下流の中継部３へも出力する。受信したコマンドで特定されたUIDを有する照明器具６のみが、メモリ７ａに記憶されている器具情報とDMXアドレスをデータ伝送部２６へ出力する。このとき、信号方向検出部２７では、器具情報及びDMXアドレスのデータが信号線２７ａから入力されたことが検出され、信号方向検出部２７は、位置検出信号ｄを出力する。  
例えば、中継部１２ａから位置検出信号ｄ（ｄ１）を受信すると、信号検出部２４は、コネクタ１３ａに接続されている照明器具６ａからの器具情報などが応答信号として出力されたことを示す設置位置情報B（Ｂ１）を制御部２０へ出力する。
【００４８】
同様に、もし中継部１２ｂからの位置検出信号ｄ（ｄ２）を受信すると、信号検出部２４は、コネクタ１３ｂに接続されている照明器具６ｂからの器具情報などが応答信号として出力されたことを示す設置位置情報B（Ｂ２）を制御部２０へ出力する。
【００４９】
よって、位置検出部２４は、外部装置である操作卓２からのUIDの情報を有する照明器具６への問い合わせ信号に対する応答信号が複数の中継部１２のいずれかに出力されたときに、信号方向検出部２７から出力された所定の位置検出信号ｄに基づいて、UIDを有する照明器具６の設置位置情報Bを生成して出力する設置位置情報出力部を構成する。
【００５０】
照明器具６からの器具情報とDMXアドレスは、データ伝送部２６を介して送受信部２３により受信され、制御部２０は、受信した送信先情報S に含まれるUIDに関わる、照明器具６の設置位置情報Bを取得する（S22）。
【００５１】
そして、制御部２０は、受信したUIDに関する、機器情報、DMXアドレスと設置位置情報Bを、送受信部２３を制御して、操作卓２へ送信する（S23）。すなわち、制御部２０は、設置位置情報出力部である位置検出部２４が出力した設置位置情報Bを、応答信号と共に通信部２１を介して外部装置である操作卓２へ送信するように、送受信部２３を制御する。
【００５２】
図５に戻り、制御部２ａは、送信した送信要求コマンドに対応して、バトン３から受信した器具情報、DMXアドレス及び設置位置情報Bを受信する（S13）。
【００５３】
制御部２ａは、受信した器具情報、DMXアドレス及び設置位置情報Bを、送信要求コマンドに対応するUIDに関連付けて、記憶部２ｂに記憶する（S14）。
【００５４】
制御部２ａは、全てのUIDについて機器情報、DMXアドレス及び設置位置情報Bを取得したか否かを判定し（S15）、全てのUIDについての器具情報などを取得していない場合（S15:NO)、処理は、S12に戻る。
【００５５】
全てのUIDについての器具情報などが取得されると（S15:YES)、制御部２ａは、処理を終了する。
【００５６】
図７は、操作卓２の記憶部２ｂに記憶される照明器具情報テーブルTBLの例を示す図である。照明器具情報テーブルTBLは、UID、器具情報、DMXアドレス、バトン番号及び設置位置情報の各情報を記憶する。照明器具テーブルTBLのUIDとバトン番号の情報は、S11において得られた情報である。器具情報、DMXアドレス及び設置位置情報は、S13において得られた情報である。
【００５７】
照明器具テーブルTBLには、固有の識別情報であるUID毎に、器具情報、DMXアドレス、バトン番号及び設置位置情報が記憶されているので、操作者は、照明器具テーブルTBL自体を、操作卓２の表示部２ｄの画面上に表示させることができる。従って、操作者は、照明器具テーブルTBLを見ることによって、どのバトンのどの位置に、どのような照明器具が設置すなわち接続されているかを把握することができる。
【００５８】
なお、DMXアドレスは、照明器具６の製造時に所定のアドレスが記憶部７ａに記憶されているので、その所定のアドレスの情報が照明器具情報テーブルTBLに格納されるが、操作者は、画面４１上に照明器具情報テーブルTBLを表示させたときに、DMXアドレスを変更することができる。
【００５９】
図８は、操作卓２の表示部２ｄの画面上に表示される舞台上の照明器具配置を示す画面の例を示す図である。図８に示すような画面４１は、操作者が各照明器具を制御するときに参照される。
【００６０】
図８に示す画面４１は、舞台４２の天井に吊り下げられた複数のバトン３のレイアウトを示している。画面４１には、各バトン３の図形が表示される。バトン３ａのバトン番号が＃１であり、バトン３ｂのバトン番号が＃２であり、バトン３ｃのバトン番号が＃３であることが示されている。他のバトン３も同様にバトン番号が付与されている。各バトン３の図形は、４つのコネクタ１３に対応する表示領域５１ａ、５１ｂ、５１ｃ、５１ｄを含んでいる。
【００６１】
さらに、操作者は、画面４１に表示されている複数のバトン３の中から、入力部２ｃの操作により、任意のバトン３の任意の照明器具６を選択することができ、選択されたバトン３あるいは照明器具６の制御状態を、照明器具テーブルTBLの情報に基づいて、画面４１上に表示させることができる。さらに、操作者は、選択されたバトン３あるいは照明器具６に対する制御信号あるいは調光信号を出力するように指示することもできる。
【００６２】
よって、図７の照明器具テーブルTBLに基づき、画面４１上の各バトン３の４つのコネクタ１３ａ、１３ｂ、１３ｃ、１３ｄに、照明器具６の器具情報を関連付けることによって、各照明器具６の制御状態の表示や、調光信号の出力指示を、画面上でも行うことが可能となる。
【００６３】
以上のように、上述した実施の形態によれば、操作卓２が各バトン３から各照明器具６の器具情報、設置位置情報などを自動で取得することができるので、上位装置である操作卓２において、各バトンにおける照明器具の取り付け位置を容易に把握できる照明用バトン及び照明システムを実現することができる。
【００６４】
なお、特に通信プロトコルは、本発明が意図する機能を果たすことができれば、他のプロトコルを使用することもできる。
【００６５】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６６】
１  照明システム、２  操作卓、２ａ  制御部、２ｂ  記憶部、２ｃ  入力部、２ｄ  表示部、３  照明用バトン、４  ハブ、５  通信ライン、６  照明器具、７  メモリ、７ａ  、７ｂ  記憶部、１１  ノード、１２（１２ａ、１２ｂ、１２ｃ、１２ｄ）  中継部、１３（１３ａ、１３ｂ、１３ｃ、１３ｄ）  コネクタ、２０  制御部、２１  通信部、２２  信号変換部、２３  送受信部、２４  位置検出部、２５  メモリ、２６  データ伝送部、２６ａ  信号線、２７  信号方向検出部、２７ａ  信号線、３１、３２  バッファ回路、３３  比較部。
【図１】
2014120351.tif 000003
【図２】
2014120351.tif 000004
【図３】
2014120351.tif 000005
【図４】
2014120351.tif 000006
【図５】
2014120351.tif 000007
【図６】
2014120351.tif 000008
【図７】
2014120351.tif 000009
【図８】
2014120351.tif 000010